(57)【特許請求の範囲】
【請求項１】
制御機器本体の背面側にフランジ部および外周にねじの切られた円筒状の胴部を設け、この制御機器本体の胴部を、取付けパネルの表面側からこのパネルに形成した取付け穴に挿入し、前記取付けパネルの裏面側から前記制御機器本体の胴部に形成したねじに締付けナットをねじ込み、前記制御機器本体を前記取付けパネルに締付け結合するようにしたパネル取付け制御機器において、前記制御機器本体の胴部の外周にほぼ均等な間隔で、前記胴部の外周から前記取付けパネルの取付け穴の内径よりも大きく突出した微小の突起を複数設けたことを特徴とするパネル取付け制御機器。
【請求項２】
請求項１に記載のパネル取付け制御機器において、前記微小の突起は、前記制御機器本体の胴部の円周方向又は、軸方向の幅を狭く形成し、前記胴部の１つの直径線と並行に突出することを特徴とするパネル取付け制御機器。
【請求項３】
請求項１に記載のパネル取付け制御機器において、前記微小の突起は、円錐形状又は角錐状をなし、先端部分を細く形成したことを特徴とするパネル取付け制御機器。
【請求項４】
請求項１に記載のパネル取付け制御機器において、前記制御機器本体の胴部に設ける突起の前端面には、この前端面の下端から上端に向かって突起の前端面側から後端面側に後退する傾斜面を設けたことを特徴とするパネル取付け制御機器。
【請求項５】
請求項４に記載のパネル取付け制御機器において、前記制御機器本体の胴部に設ける突起の前端面に設けた傾斜面に、さらに、この前端面の一側端から他側端に向かって突起の前端面側から後端面側に後退する傾斜を設けたことを特徴とするパネル取付け制御機器。
【発明の詳細な説明】
【技術分野】
【０００１】
この発明は、配電盤や制御盤等の各種のパネルに取付けて使用する操作ボタンスイッチや表示器等のパネル取付け制御機器に関する。
【背景技術】
【０００２】
配電盤や制御盤等のパネルに取り付けて使用するパネル取付け制御機器としては、特許文献１に示すようなものが知られている。
【０００３】
図６にこのような制御機器の１つであるパネル取付け押しボタンスイッチの従来例を示す。パネル取付け押しボタンスイッチは、パネル２０の取付け穴２１に挿入して取り付けるための押しボタンスイッチ本体１０を有する。この押しボタンスイッチ本体１０には、操作用の押しボタン１１と、この押しボタン１１の装着される基端部にフランジ部１２を備えた円筒状の胴部１３と、この胴部１３の外周に刻まれたねじ１４にねじ込まれる締付けナット１５とを有する。押しボタンスイッチ本体１０の胴部１３の先端に、押しボタン１１によって操作される着脱自在のスイッチユニットを結合して、押しボタンスイッチが構成される。ここでは簡単のためにスイッチユニットの図示を省略している。
【０００４】
押しボタンスイッチを、配電盤や制御盤のパネル２に取り付ける場合は、押しボタンスイッチ本体１０の胴部１３から締付けナット１５を外して、胴部１３をパネル２０に設けた取付け穴２１にパネル２の表側から挿入する。そして、このパネル２０に挿入された押しボタンスイッチ本体１０の胴部１３にパネル２０の裏側から締付けナット１５を被嵌し、胴部１３の外周のねじ１４にねじ込み、図７に示すように、締付けナット１５と胴部１３のフランジ部１２とによりパネル２０を挟み込んで締め付けることにより、押しボタンスイッチ本体１０をパネル２０に固定的に取付ける。このように押しボタンスイッチ本体１０をパネル２０に取り付けた後、胴部１３の先端に図示しないスイッチユニットを結合する。
【先行技術文献】
【特許文献】
【０００５】
【特許文献１】特開２００８−１０８５３７号公報
【発明の概要】
【発明が解決しようとする課題】
【０００６】
このようにパネルに取り付けて使用する押しボタンスイッチ等のパネル取付け制御機器は、制御機器本体の円筒状胴部が、パネルの取付け穴に挿入するため、その外径が取付け穴の内径よりも小さく形成される。
【０００７】
このため、このようなパネル取付け制御機器を、配電盤や、制御盤のパネルに取り付けるために、制御機器本体を、パネルの取付け穴に挿入しただけでは、制御機器本体をパネルにより安定して支持することができない。特に、大形の配電盤のパネルでは、パネル表面から裏面へ手を回すことができないため、一人では制御機器本体をパネルの表面から取付け穴に挿入して、この取付け穴に挿入した制御機器本体を手で支持しながらパネルの裏面側から締付けナットを締め付ける作業を行うことができないので人手による支持をはずす必要がある。このため、パネルに挿入した制御機器本体の支持が不安定となり、少しの振動や、接触などにより制御機器本体がパネルから脱落する不都合があった。このような不都合を除くためには、取付け作業を２人で行う必要があり、人手を要する不便がある。
【０００８】
この発明は、このような不都合を解消し、一人で取付け作業のできるパネル取付け制御機器を提供することを課題とするものである。
【課題を解決するための手段】
【０００９】
この発明は、前記の課題を解決するため、制御機器本体の背面側にフランジ部および外周にねじの切られた円筒状の胴部を設け、この制御機器本体の胴部を、取付けパネルの表面側からこのパネルに形成した取付け穴に挿入し、前記取付けパネルの裏面側から前記制御機器本体の胴部に形成したねじに締付けナットをねじ込み、前記制御機器本体を前記取付けパネルに締付け結合するようにしたパネル取付け制御機器において、前記制御機器本体の胴部の外周にほぼ均等な間隔で、前記胴部の外周から前記取付けパネルの取付け穴の内径よりも大きく突出した微小の突起を複数設けたことを特徴とするものである。
【００１０】
この発明においては、前記突起は、幅の狭い、微小な突起とし、これが、前記操作部本体の胴部の１つの直径線と並行に突出するようにし、また、突起の前端面には、この前端面の下端から上端に向かって突起の前端面側から後端面側へ後退する傾斜面を設けるのがよい。さらに、この傾斜面に前端面の一側端から他側端に向かって突起の前端面側から後端面側に後退する傾斜を設けることもできる。
【００１１】
そして、突起の形状としては、円錐形又は角錐形のように上端が細くなる形状がよい。
【発明の効果】
【００１２】
この発明においては、パネル取付け制御機器の本体の、取付けパネルの取付け穴に挿入される胴部の外周に取付け穴の内径よりも大きく突出した複数の微小の突起を設けているので、パネルに取り付ける際に制御機器本体の胴部をパネルの取付け穴に挿入するとき、前記胴部の突起がパネルの取付け穴によってこの突起を弾性変形又は塑性変形させ、その先端がパネルの取付け穴の内周壁面に圧接するまで押し込むようにする。突起の先端が取付け穴の内壁を圧接することにより、取付けパネルの取付け穴に挿入された制御機器本体が取付けパネルに係止され、仮固定される。このため、制御機器本体は、外部からの支持なしで、取付けパネルにより安定支持することができ、多少の振動、衝撃を受けても取付けパネルから外れることがないので、制御機器のパネル取付けを作業者一人で行うことができるようになる。
【図面の簡単な説明】
【００１３】
【図１】この発明の実施例の押しボタンスイッチの構成を示す分解斜視図である。
【図２】この発明の実施例の押しボタンスイッチの微小の突起を拡大して示す斜視図である。
【図３】この発明の実施例の押しボタンスイッチの操作部本体を示すもので、（ａ）は平面図、（ｂ）は（ａ）におけるｂ−ｂ線に沿う断面図、（ｃ）は、（ｂ）におけるｃ部を拡大して示す断面図である。
【図４】この発明の実施例の押しボタンスイッチのパネル取付け状態を示す平面図である。
【図５】この発明の制御機器に設ける突起の形状の変形例を示す図である。
【図６】従来の制御機器の構成を示す分解斜視図である。
【図７】従来の制御機器のパネル取付け状態を示す平面図である。
【発明を実施するための形態】
【００１４】
この発明の実施の形態を図に示す実施例について説明する。
【実施例１】
【００１５】
図１にこの発明の実施例を示す。この図１において、１０は、制御機器の１つである押しボタンスイッチの操作部本体である。この押しボタンスイッチの操作部本体１０は、配電盤などのパネル２０に取付け可能に構成されており、操作用の押しボタン１１と、これを支持するフランジ部１２と、このフランジ部１２に連設された円筒状の胴部１３とを備える。
【００１６】
胴部１３の外周のフランジ部１２側に締付けナット１５をねじ込むためのねじ１４が刻まれている。さらに、ねじ１４のフランジ部１２に隣接する部分にねじの一部を切り欠いて形成された切欠き凹部１４ａの中に微小の突起１６が設けられている（図２参照）。
【００１７】
この突起１６は、図３に詳細を示すように、円筒状の胴部１３の外周にほぼ均等な間隔（９０°間隔）で、４個（１６ａ〜１６ｄ）設けられている。この突起１６は、この実施例では、図３（ｂ）に示すように、円筒状の胴部１３の外周から、これの垂直な直径線Ｖと並行に突出し、図５（ａ）に示すような形状に形成されている。
【００１８】
すなわち、突起１６は、胴部１３の周方向の厚さｔが薄く、胴部１３の軸方向の幅ｗおよび高さｈは、厚さｔより十分大きくされている。そして、突起１６のパネル２０と対向する前端面Ｆには傾斜面Ｓが設けられている。この傾斜面Ｓは、下端Ｄ側から上端Ｕ側へ向って前端面Ｆ側から後端面Ｂ側へ後退し、かつ左側端Ｌ側から右側端Ｒ側へ向かって前端面Ｆ側から後端面Ｂ側へ後退する、２方向の傾斜を有する。このように形成された突起１６は、周方向の厚さｔが薄いため、円周方向に湾曲変形しやすい形状となる。また、前端面Ｆに傾斜面Ｓを設けたことにより、押しボタンスイッチの操作部本体の胴部１３をパネル２０の取付け穴２１に挿入した際、傾斜面Ｓに取付け穴２１の内周壁が摺接して突起１６に円周方向、すなわち図５（ａ）に示す矢印Ｃ方向に変形する力を加えるので、突起１６が、この方向へ湾曲変形するようになる。
【００１９】
この突起の形状は、図３（ｂ）における突起１６ａと１６ｃに適用されるものである、突起１６ｂと１６ｄの場合は、突起の前端面Ｆに設ける傾斜面Ｓは、前端面Ｆの上端Ｕ側が下端Ｄ側へ向う方向の傾斜は突起１６ａおよび１６ｃと同じであるが、左右両側端方向の傾斜が左側端Ｌから右側端Ｒへ向かって後退するようになる。
【００２０】
なお、突起１６は、胴部１３の外周から放射状に突出するようにしても差し支えないが、この場合も、突起の前端面には前記のような傾斜面Ｓを設けるのがよい。
【００２１】
押しボタンスイッチの操作部本体１０をパネル２０に取付ける場合は、本体の胴部１３をパネル２０の表面側からこれに設けた取付け穴２１に挿入し、このパネル２０の裏面側へ突出した胴部１３に締付けナット１５をねじ込み、この締付けナット１５と本体１０のフランジ部１２とでパネル２０を締め付けて固定する（図４参照）。パネル２０に取り付けられた押しボタンスイッチ操作部本体の胴部１３の先端側に図示しない着脱自在に構成されたスイッチユニットを結合することにより、パネル取付け押しボタンスイッチが完成する。
【００２２】
このように押しボタンスイッチの操作部本体１０は、パネル２０に取り付けるために、図３（ｃ）に示すように、胴部１３の最大の外径Ｄ１３は、パネル２０の取付け穴２１の内径Ｄ２１より少し小さくして、胴部１３がパネル２０に設けた取付け穴２１に挿通可能に構成する。
【００２３】
そして、胴部１３に設けた突起１６は、押しボタンスイッチ本体１０をパネル２０に取り付ける際に、パネル２０の取付け穴２１に挿入した際に、本体１０から人手の支えを外したとき、これがパネル２０から外れないようにこれを取付け穴２１に仮固定するために設けたものである。
【００２４】
このため、胴部１３の突起１６ａ，１６ｃ間および１６ｂ，１６ｄ間の外径Ｄ１６は、パネル２の取付け穴２１の内径Ｄ２１より僅かに大きく形成され、突起の先端が取付け穴２１の内径より外側に突出するようになる。
【００２５】
このように構成された、押しボタンスイッチの操作部本体１０を、パネル２０に取り付けるには、図１に示すように、胴部１３をパネル２０の表面側からこれに設けられた取付け穴２１に挿入し、パネル２０がフランジ部１２に当たるまで押し込む必要があるが、その手前で胴部１３に突設した突起１６がパネル２０の表面に当たり、ここで押し込み抵抗が大きくなる。本体１０を完全にパネル２０の取付け穴２１に押し込むためには、ここからさらに、突起１６による抵抗に抗して本体１０を押し込むことにより、突起１６の上端部分がパネル２０の取付け穴２１の内周壁により押圧されて弾性変形され、又は、圧潰され塑性変形されることにより、取付け穴２１内に圧入されて内周壁面を押圧し、本体１０をパネル２０の取付け穴２１に係止し、仮固定することができる。
【００２６】
このように押しボタンスイッチの操作部本体１０が、突起１６によってパネル２０の取付け穴２１に仮固定されると、本体１０から人手の支えを外しても、本体１０がパネル２０から外れることがないので、パネル２０の裏面からの締付けナット１５の本体１０の胴部１３へのねじ込み作業を、パネルの裏面へ手を回すことができないような大形の配電盤の取付けパネルであっても作業者一人で容易に行うことができる。
【００２７】
この発明は、取付けパネル２０の取付け穴２１に挿入する操作部本体１０の円筒状の胴部の外周に取付け穴の内径よりも僅かに大きな外径となる微小の突起１６を設け、操作部本体１０をパネル２０の取付け穴２１に挿入してこれに押し込む際に、この突起１６の上端部をパネル２０の取付け穴２１内に変形させて圧入することにより、取付け穴２１内に入りこませ、突起１６の上端を取付け穴２１の内周壁に圧接させることにより、操作部本体１０をパネル２０に係止させて、仮固定するものであるので、操作部本体１０の取付け穴２１への押し込みを容易にするために、胴部１３の外周に設ける微小突起１６は、変形しやすい形状にするのがよい。
【００２８】
突起１６の形状の変形例を図５に示す。図５（ａ）に示す突起１６は、胴部１３の軸方向の幅ｗ、および胴部１３の半径方向の高さｈに対して、胴部１３の円周方向Ｃの厚さｔを薄く構成して胴部１３の円周方向Ｃに湾曲変形しやすくしたものである。押しボタンスイッチの操作部本体１０の胴部１３の外周にこのような形状の突起１６を設けた場合は、本体１０の胴部１３を取付けパネル２０の取付け穴２１に挿入し、押し込むことにより、突起１６の前端が取付け穴２１の内周壁により押圧されたとき、胴部１０の円周方向Ｃに湾曲変形して取付け穴２１内に入り込みやすくなる。
【００２９】
また、この図５（ａ）の突起１６の場合は、突起１６の前端面Ｆに下端Ｄから上端Ｕに向かって後端面側へ後退する傾斜面Ｓを設けるようにすると、押しボタンスイッチの操作部本体１０の胴部１３を取付けパネル２０の取付け穴２１に挿入するとき、この突起１６の傾斜面Ｌが取付け穴２１の周壁により案内されることにより、胴部１３と取付け穴２１との中心位置合わせが自動的に行われるようになる。
【００３０】
そして、この突起１６の傾斜面Ｓに設けられたこの傾斜面の左側端Ｌ側から右側端Ｒへ向かって後端面Ｂ側へ後退するもう一つの傾斜は、押しボタンスイッチ本体１０をパネル２０の取付け穴２１に挿入し、押し込む際に、取付け穴２１の内周壁が突起１６に円周方向に変形する力を加え、突起１６を、図３（ｃ）に点線で示す突起１６´のように湾曲変形させる作用をする。
【００３１】
図５（ｂ）に示す突起１６は、胴部１３の軸方向の幅ｗを、胴部１３の半径方向の高さｈ、および胴部１３の円周方向Ｃの厚さｔに対して薄く構成して胴部１３の軸方向Ａに湾曲変形しやすくしたものである。この形状の突起を設けた場合は、本体１０の胴部１３を取付けパネル２０の取付け穴２１に挿入し、押し込むことにより、突起１６の先端が取付け穴２１の周壁により押圧されたとき、胴部１０の軸方向Ａに湾曲変形して取付け穴２１内に入り込みやすくなる。
【００３２】
次に、図５（ｃ）に示す突起１６は、半球状の形状にして、突起の上端を細く形成したものである。また、図５（ｄ）に示す突起１６は、角錐状又は円錐状の形状にして突起の上端を細く形成したものである。
【００３３】
図５（ｃ）および（ｄ）に示すように突起１６の上端部が細くなるように形成すると、突起１６の上端部が機械的剛性および強度が弱くなるので、押しボタンスイッチの操作部本体１０の胴部１３を取付けパネル２０の取付け穴２１に挿入したとき、突起１６の先端部が取付けパネル２０の取付け穴２１の周壁により押圧されて容易に変形又は圧潰されるため、突起１６の上端部を容易に取付けパネル２０の取付け穴２１内に圧入することができる。
【００３４】
前記では、この発明をパネル取付け押しボタンスイッチに適用した実施例について説明したが、パネル取付けの表示器等のその他のパネル取付け制御機器にも適用できる。
【符号の説明】
【００３５】
１０：押しボタンスイッチの操作部本体（制御機器本体）
１１：押しボタン
１２：フランジ部
１３：円筒状の胴部
１４：ねじ
１５：締付けナット
１６（ａ〜ｄ）：微小の突起
２０：取付けパネル
２１：取付け穴
【図１】
0005759318.tif 000002
【図２】
0005759318.tif 000003
【図３】
0005759318.tif 000004
【図４】
0005759318.tif 000005
【図５】
0005759318.tif 000006
【図６】
0005759318.tif 000007
【図７】
0005759318.tif 000008